【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
工程制御システムにおいて携帯型装置を工程制御装置へ通信するよう結合する方法であって、前記方法は、
携帯型装置から無線モジュール部を経由しＩ／Ｏチャネルの選択を受信することと、
前記選択されたＩ／Ｏチャネルに対応する工程制御装置を判定することと、
前記無線モジュールから前記Ｉ／Ｏチャネルを経由し前記判定された工程制御装置にかけてパススルーセッションを開始することと、
前記携帯型装置を前記工程制御装置へ通信するよう結合するため、前記パススルーセッションによる前記携帯型装置と前記工程制御装置との通信を有効にすることと、
を備える方法。
【請求項２】
前記工程制御装置の前記選択を受信することに先立ち、
前記携帯型装置から伝送される識別要求メッセージを前記無線モジュールを経由し受信することと、
前記無線モジュールから前記携帯型装置へ識別情報を伝送することと、
前記携帯型装置から前記無線モジュールを経由し接続要求メッセージを受信することと、
前記無線モジュールと前記携帯型装置との間に通信リンクを確立することと、をさらに備える、請求項１に記載の方法。
【請求項３】
前記パススルーセッションを開始することは、前記携帯型装置から前記無線モジュールを通り前記選択されたＩ／Ｏチャネルに対応するＩ／Ｏカードを経由し前記選択されたＩ／Ｏチャネルへ至る仮想ルートを形成することを含む、請求項１又は請求項２に記載の方法。
【請求項４】
前記パススルーセッションによる前記携帯型装置と前記工程制御装置との前記通信を有効にすることは、
前記携帯型装置へ前記通信を伝送することに先立ち、前記工程制御装置から伝送される前記通信を無線通信プロトコルに従いパッケージすること、又は、
前記携帯型装置から伝送される前記通信を前記無線通信プロトコルからアンパックし、且つ前記アンパックされた通信をデジタルバスを経由し前記工程制御装置へ伝送すること、のうち、少なくとも一方を含む、請求項３に記載の方法。
【請求項５】
前記選択されたＩ／Ｏチャネルに対応する２つ以上の使用可能な工程制御装置を判定することと、
前記使用可能な２つ以上の工程制御装置のリストを前記携帯型装置へ送信することと、
前記携帯型装置から第２の工程制御装置の選択を前記無線モジュールにて受信することと、
前記無線モジュールから前記Ｉ／Ｏチャネルを経由し前記第２の工程制御装置にかけて前記パススルーセッションを開始することと、
前記パススルーセッションにより前記携帯型装置と前記第２の工程制御装置との通信を有効にすることと、をさらに備える、請求項１〜請求項４の何れか1項に記載のに記載の方法。
【請求項６】
２つ以上の工程制御装置又は２つ以上のＩ／Ｏチャネルのうち、少なくとも１つの選択を受信することと、
前記無線モジュールから、前記工程制御装置のうち少なくとも１つ、又は前記Ｉ／Ｏチャネルのうち少なくとも１つにかけて、前記パススルーセッションを開始することと、
前記パススルーセッションにより、前記携帯型装置と、前記工程制御装置又は前記Ｉ／Ｏチャネルのうち、前記少なくとも１つとの、通信を有効にすることと、さらに備える、請求項１〜請求項５の何れか1項に記載の方法。
【請求項７】
前記Ｉ／Ｏチャネルの前記選択を受信することに先立ち、使用可能なＩ／Ｏチャネルのリストを前記携帯型装置へ送信することをさらに備える、請求項１〜請求項６の何れか1項に記載の方法。
【請求項８】
工程制御システムにおいて携帯型装置を工程制御装置へ通信するよう結合する機器であって、前記機器は、
携帯型装置からＩ／Ｏチャネルの選択を受信する無線処理部と、
無線モジュールから前記Ｉ／Ｏチャネルを経由し工程制御装置にかけてパススルーセッションを開始する無線モジュールチャネル管理部と、
前記携帯型装置を前記工程制御装置へ通信するよう結合するため、前記パススルーセッションによる前記携帯型装置と前記工程制御装置との通信を有効にするＩ／Ｏコンポーネントインターフェイスと、を備える機器。
【請求項９】
前記Ｉ／Ｏコンポーネントインターフェイスは、前記選択されたＩ／Ｏチャネルから工程制御装置識別情報を受信識別することにより、前記選択されたＩ／Ｏチャネルに対応する前記工程制御装置を判定する、請求項８に記載の機器。
【請求項１０】
前記Ｉ／Ｏチャネルの前記選択は、前記Ｉ／Ｏチャネルに対応するＩ／Ｏコンポーネントの選択と同じである、請求項８又は請求項９に記載の機器。
【請求項１１】
前記携帯型装置から伝送される識別要求メッセージを受信し、
前記無線処理部を経由し前記携帯型装置へ識別情報を伝送し、
前記携帯型装置から接続要求メッセージを受信し、且つ、
前記携帯型装置との通信リンクを確立する、
通信リンク管理部をさらに備える、請求項８又は請求項１０に記載の機器。
【請求項１２】
前記無線モジュールチャネル管理部は、前記携帯型装置から前記Ｉ／Ｏコンポーネントインターフェイスを通り前記選択されたＩ／Ｏチャネルに対応するＩ／Ｏコンポーネントを経由し前記選択されたＩ／Ｏチャネルへ至る仮想ルートを形成することにより、前記パススルーセッションを開始する、請求項８又は請求項１１に記載の機器。
【請求項１３】
前記Ｉ／Ｏコンポーネントインターフェイスは、
前記Ｉ／Ｏコンポーネントインターフェイスから前記通信を受信し、且つ、
前記通信を前記携帯型装置へ伝送することに先立ち、前記通信を無線通信プロトコルに従いパッケージする、
無線伝送変換部、又は、
前記Ｉ／Ｏコンポーネントインターフェイスを経由し前記工程制御装置へ前記通信を転送するパススルー管理部、のうち、
少なくとも一方へ通信するよう結合することにより、前記パススルーセッションによる前記携帯型装置と前記工程制御装置との前記通信を有効にする、請求項１２に記載の機器。
【請求項１４】
前記パススルー管理部は、
前記携帯型装置から伝送される前記通信を無線プロトコルからアンパックし、且つ、
前記アンパックされた通信を前記Ｉ／Ｏコンポーネントインターフェイスを経由し前記工程制御装置へ転送する、請求項１３に記載の機器。
【請求項１５】
前記Ｉ／Ｏコンポーネントインターフェイスは、
前記選択されたＩ／Ｏチャネルに対応する２つ以上の使用可能な工程制御装置を判定し、且つ、
前記使用可能な２つ以上の工程制御装置のリストを前記携帯型装置へ送信する、請求項８又は請求項１４に記載の機器。
【請求項１６】
前記無線処理部は、前記携帯型装置から第２の工程制御装置の選択を受信し、
前記無線モジュールチャネル管理部は、前記Ｉ／Ｏチャネルを経由し前記第２の工程制御装置にかけて前記パススルーセッションを開始し、
前記Ｉ／Ｏコンポーネントインターフェイスは、前記パススルーセッションにより前記携帯型装置と前記第２の工程制御装置との通信を有効にする、請求項１５に記載の機器。
【請求項１７】
前記Ｉ／Ｏコンポーネントインターフェイスは、前記無線処理部が前記Ｉ／Ｏチャネルの前記選択を受信することに先立ち、前記携帯型装置へ使用可能なＩ／Ｏチャネルのリストを送信する、請求項８又は請求項１６に記載の機器。
【請求項１８】
命令が蓄積されたマシンアクセス可能媒体であって、前記命令が実行されるとマシンは、
携帯型装置からＩ／Ｏチャネルの選択を受信し、
前記選択されたＩ／Ｏチャネルに対応する工程制御装置を判定し、
前記Ｉ／Ｏチャネルを経由し前記判定された工程制御装置にかけてパススルーセッションを開始し、且つ、
前記携帯型装置を前記工程制御装置へ通信するよう結合するため、前記パススルーセッションによる前記携帯型装置と前記工程制御装置との通信を有効にする、
マシンアクセス可能媒体。
【請求項１９】
前記命令が実行されると前記マシンは、前記工程制御装置の前記選択を受信することに先立ち、
前記携帯型装置から伝送される識別要求メッセージを受信し、
前記携帯型装置へ識別情報を伝送し、
前記携帯型装置から接続要求メッセージを受信し、且つ、
前記携帯型装置との通信リンクを確立する、請求項１８に記載のマシンアクセス可能媒体。
【請求項２０】
前記命令が実行されると前記マシンは、前記携帯型装置から前記選択されたＩ／Ｏチャネルに対応するＩ／Ｏカードを経由し前記選択されたＩ／Ｏチャネルへ至る仮想ルートを形成することにより、前記パススルーセッションを開始する、請求項１８又は請求項１９に記載のマシンアクセス可能媒体。
【請求項２１】
前記命令が実行されると前記マシンは、
前記携帯型装置へ前記通信を伝送することに先立ち、前記工程制御装置から伝送される前記通信を無線通信プロトコルに従いパッケージすること、又は、
前記携帯型装置から伝送される前記通信を前記無線通信プロトコルからアンパックし、且つ前記アンパックされた通信をデジタルバスを経由し前記工程制御装置へ伝送すること、のうち、少なくとも一方により、
前記パススルーセッションによる前記携帯型装置と前記工程制御装置との前記通信を有効にする、請求項２０に記載のマシンアクセス可能媒体。
【請求項２２】
前記命令が実行されると前記マシンは、
前記選択されたＩ／Ｏチャネルに対応する２つ以上の使用可能な工程制御装置を判定し、
前記使用可能な２つ以上の工程制御装置のリストを前記携帯型装置へ送信し、
前記携帯型装置から第２の工程制御装置の選択を受信し、
前記Ｉ／Ｏチャネルを経由し前記第２の工程制御装置にかけて前記パススルーセッションを開始し、且つ、
前記パススルーセッションにより前記携帯型装置と前記第２の工程制御装置との通信を有効にする、請求項１８〜請求項２１の何れか１項に記載のマシンアクセス可能媒体。
【請求項２３】
前記命令が実行されると前記マシンは、
２つ以上の工程制御装置又は２つ以上のＩ／Ｏチャネルのうち、少なくとも１つの選択
を受信し、
前記工程制御装置のうち少なくとも１つ、又は前記Ｉ／Ｏチャネルのうち少なくとも１つにかけて、前記パススルーセッションを開始し、且つ、
前記パススルーセッションにより、前記携帯型装置と、前記工程制御装置又は前記Ｉ／Ｏチャネルのうち、前記少なくとも１つとの、通信を有効にする、請求項１８〜請求項２２の何れか１項に記載のマシンアクセス可能媒体。
【請求項２４】
前記命令が実行されると前記マシンは、前記Ｉ／Ｏチャネルの前記選択を受信することに先立ち、使用可能なＩ／Ｏチャネルのリストを前記携帯型装置へ送信する、請求項１８〜請求項２３の何れか１項に記載のマシンアクセス可能媒体。